(57)【要約】【課題】  表示部が有益な表示を行って無駄をなくし、使用者とっても目障りとならない表示を行うイオン水生成装置を提供する。【解決手段】  イオン水を生成して吐水し、この吐水が停止した後に、操作パネル９０の発光を停止するので、使用者が使用しない期間では操作パネル９０が発光しておらず、特に、照明器具が使用されていない深夜には発光しておらず、無駄な発光をせず使用者の目障りとならない。【選択図】  図４
2006187713.tif 000002
【特許請求の範囲】
【請求項１】
水を電気分解する電解槽及び表示部を備え、当該電解槽に電圧を印加してイオン水を生成するイオン水生成装置において、
止水後使用者の操作がないまま所定期間経過後に、表示部の発光のうち少なくとも選択されている機能水の種類を示す発光を停止又は弱めることを
特徴とするイオン水生成装置。
【請求項２】
前記請求項１に記載のイオン水生成装置において、
前記電解槽がシンクより下に配設されるを
特徴とするイオン水生成装置。
【請求項３】
前記請求項１または２記載のイオン水生成装置において、
電解槽のスケールの付着を防止する逆電解を前記表示部の発光停止又は弱化前までに完了することを
特徴とするイオン水生成装置。
【請求項４】
前記請求項１または２記載のイオン水生成装置において、
電解槽のスケールの付着を防止する逆電解を前記表示部の発光停止又は弱化と同時に完了することを
特徴とするイオン水生成装置。
【請求項５】
前記請求項１または２記載のイオン水生成装置において、
電解槽のスケールの付着を防止する逆電解を前記表示部の発光停止又は弱化と同時に開始することを
特徴とするイオン水生成装置。
【請求項６】
前記請求項１または２記載のイオン水生成装置において、
電解槽のスケールの付着を防止する逆電解を前記表示部の発光停止又は弱化後に開始することを
特徴とするイオン水生成装置。
【請求項７】
前記請求項１に記載のイオン水生成装置において、
装置内の水を排水することなく使用できる連続モードが所定期間有効であって、前記発光の停止又は弱化以前又は同時に連続モードが無効となることを
特徴とするイオン水生成装置。
【請求項８】
水を電気分解する電解槽及び表示部を備え、当該電解槽に電圧を印加してイオン水を生成するイオン水生成装置において、
受光検出部を設け、
当該受光検出部が光を検出できなくなった後所定期間後に、表示部の発光を停止又は弱めることを
特徴とするイオン水生成装置。
【請求項９】
水を電気分解する電解槽及び表示部を備え、当該電解槽に電圧を印加してイオン水を生成するイオン水生成装置において、
人体検出部を設け、
当該人体検出部が人を検出できなくなった後所定期間後に、表示部の発光を停止又は弱めることを
特徴とするイオン水生成装置。
【請求項１０】
水を電気分解する電解槽及び表示部を備え、当該電解槽に電圧を印加してイオン水を生成するイオン水生成装置において、
時刻を検出する時計部を設け、
各時間帯の使用者の使用頻度を計算し、使用頻度の少ない時間帯には表示部の発光を停止又は弱めることを
特徴とするイオン水生成装置。
【発明の詳細な説明】
【技術分野】
【０００１】
本発明は、水を電解槽にて電気分解しイオン水を生成するイオン水生成装置に関し、特に、イオン水生成装置が有する表示の制御に関する。
【背景技術】
【０００２】
本発明の背景技術となるイオン水生成装置としは、特開特開平８−１３２０４１号公報に開示されるものがあり、以下図１６に基づき説明する。
【０００３】
背景技術のイオン水生成装置は、本体ケース２０１内にはイオン水を生成するための電解槽２０２、配管２０３、定流量弁２０６、給水用電磁弁２０７、中空糸膜・活性炭のようなろ材を充填した浄水カートリッジ２０８、流量センサー２０９を備えた分岐管２１０、カルシュウム添加筒２１１、酸性用電磁弁２１２等の配管２０３の途中に配置する部材やあるいは電解槽２０２への電源供給側に設けられたトランス２１３等が内装してある構成である。電解槽２０２は従来から公知のこの種のアルカリイオン水生成装置に用いられる電解槽と同じ構成のものである。操作パネル２１７にはＬＥＤなどの発光表示部２５０が複数設けてあり、この発光表示部２５０の一つが逆電洗浄表示手段Ｃとなっている。
【０００４】
給水用電磁弁２０７が開くと矢印のように給水が行われ、定流量弁２０６、給水用電磁弁２０７を経て浄水カートリッジ２０８を通って浄水され、分岐管２１０を経て、分岐管２１０で分岐された一方の水はカルシュウム添加筒２１１を通ってカルシュウムを添加された状態で電解槽２０２の一方の室２０２ａ内に導入され、分岐管２１０で分岐された他方の水は電解槽２０２の他方の室２０２ｂに導入され、電解槽２０２に電圧が印加されることで、一方の室２０２ａ側が陽極となって酸性イオン水が生成され、他方の室２０２ｂ側が陰極となってアルカリイオン水が生成される。生成されたアルカリイオン水は配管２０３のアルカリイオン水出口２２８側に流れる。また、生成された酸性イオン水は配管２０３の酸性イオン水出口２２６側に流れる。
【特許文献１】特開平８−１３２０４１号公報
【発明の開示】
【発明が解決しようとする課題】
【０００５】
前記背景技術に係るイオン水生成装置は以上のように構成され、必要に応じてアルカリイオン水が生成され、イオン水生成装置は常に電源オン状態を維持し、いつでも使用者が使用可能なように前記発光表示部が常時点灯している。使用者がいつでも使用可能と言っても、深夜など通常長時間使用しない期間が続くが、この期間であっても継続して点灯しており、使用者にとっても無駄であり、さらには、深夜などは他の照明器具が使用されていないだけに、際立って発光表示部が目だってかえって目障りとなるという課題を有する。また、使用者によっては、装置の発光表示部が点灯しているということは、異常状態ではないかと誤認してしまう場合もある。さらに、正常状態を示すＬＥＤが点灯されている場合には、使用者は直ぐにでも使用可能であると認識するが、実際には捨て水の排水の処理があって、吐水直後の水が飲用でなく、誤って捨て水を誤飲してしまうという課題を有する。ここで、据え置きタイプのイオン水生成装置は、シンク上に配設した場合には電解槽及び流路がシンク上にあるため、排水管がシンク下に延出形成されている場合には、水の自重により自然落下させて排水することができ、ばい菌等を含んだ水を使用者が飲む可能性は少ないが、アンダーシンクタイプのイオン水生成装置の場合には、据え置きタイプのイオン水生成装置とは異なり、電解槽及び流路がシンク下にあるために、水が自重によって自然落下することができず、電解槽及び流路にはばい菌を含んだ水が貯まっており、必ず捨て水の必要があり、かかるばい菌を含んだ水を誤飲する可能性が高いという課題を有する。
【０００６】
本発明は前記課題を解決するためになされたものであり、表示部が有益な表示を行って無駄をなくし、使用者とっても目障りとならない表示を行うイオン水生成装置を提供することを目的とする。
【課題を解決するための手段】
【０００７】
本発明に係るイオン水生成装置は、止水後使用者の操作がなく所定期間経過後に、表示部の発光のうち少なくとも選択されている機能水の種類を示す発光を停止又は弱めるものである。このように本発明においては、イオン水を生成して吐水し、この吐水が停止した後に、操作がなければ表示部の発光のうち少なくとも選択されている機能水の種類を示す発光を停止するので、使用者が使用しない期間では表示部が発光しておらず、特に、照明器具が使用されていない深夜には発光しておらず、無駄な発光をせず使用者の目障りとならない。また、表示部の発光全てが消灯してもよいが、少なくとも選択されている機能水の種類を示す発光が消灯することで、使用されていない状態で使用時に使用者の視認が必要となる発光が消灯し、必要な場合にだけ発光することになり効率的であると共に、使用されていない状態で他の発光を際立たせて表示することができる。また、表示部の発光を停止することなく、発光を弱めることでも、無駄が少なくなり、また、使用者の目障りとならない。また、ある程度の期間使用していない場合には電解槽内の水を排水してから使用することが望ましく、この構成によれば、表示部が発光していないことで少なくとも所定期間使用していないことを、使用者に認識させ、捨て水を促すことができる。更に言えば、使用者は表示部が発光していない場合には、かかる表示部が発光するのを待ってどのような状態であるかを確認する必要があり、この確認する時間に必然的に捨て水を行うことができ、さらに、表示部が発光していないので使用者の注意力も増し、誤飲を確実に防ぐことができる。通常であれば、通常モードの表示を表示部が行って、吐水後若干のタイムラグの後に、捨て水を行っているとの警告表示となって、かかるタイムラグがあるため、使用者が捨て水を誤飲する可能性があった。本発明の場合には、発光停止状態から警告表示となり、通常表示からの変移とならず、円滑な捨て水処理を担保することができる。ここで、表示部の発光とは、LEDの発光の他、液晶のバックライトの発光も含む。
【０００８】
また、本発明に係るイオン水生成装置は必要に応じて、前記電解槽がシンクより下に配設されるものである。このように本発明においては、電解槽がシンク下に配設される、所謂アンダーシンクタイプのイオン水生成装置において、電解槽内の水を水の自重にて排水することができず、使用前には原則として雑菌が含まれた電解槽内の水を排水する必要があり、使用者も使い始めの時点で表示部が発光していない場合には、まだ準備ができておらず、飲用水が吐水されていないと認識し、使用者が誤飲することなく、円滑に捨て水を排水することができる。すなわち、前記アンダーシンクタイプのイオン水生成装置の場合には、その他のタイプのイオン水生成装置と比べて、電解槽の排水が事前にできないため電解槽内に雑菌が含まれている場合が多くあり、本発明により誤飲を防ぐ必要性が高い。
【０００９】
また、本発明に係るイオン水生成装置は必要に応じて、電解槽のスケールの付着を防止する逆電解を前記表示部の発光停止又は弱化前までに完了するものである。このように本発明においては、止水後発光停止前までの所定期間内に逆電解を完了するので、使用者は表示部の発光が停止しているということは、逆電解も完了しており直ぐにでも使用が可能であることを認識することができる。
【００１０】
また、本発明に係るイオン水生成装置は必要に応じて、電解槽のスケールの付着を防止する逆電解を前記表示部の発光停止又は弱化と同時に完了するものである。このように本発明においては、止水後発光停止と同時に逆電解を完了するので、使用者は表示部の発光が停止したということは、逆電解も丁度完了し直ぐにでも使用が可能であることを認識することができる。
【００１１】
また、本発明に係るイオン水生成装置は必要に応じて、電解槽のスケールの付着を防止する逆電解を前記表示部の発光停止又は弱化と同時に開始するものである。このように本発明においては、表示部の発光が停止と同時に逆電解を開始するので、使用者は表示部の発光が停止した後は逆電解中であるかもしれず、迅速に機能水の提供を受けれないという認識を有することで、捨て水の誤飲を防止することができる。
【００１２】
また、本発明に係るイオン水生成装置は必要に応じて、電解槽のスケールの付着を防止する逆電解を前記表示部の発光停止又は弱化後に開始するものである。このように本発明においては、表示部の発光が停止後に逆電解を開始するので、使用者は表示部の発光が停止した後は逆電解中であるかもしれず、迅速に機能水の提供を受けれないという認識を有することで、捨て水の誤飲を防止することができる。
【００１３】
また、本発明に係るイオン水生成装置は必要に応じて、装置内の水を排水することなく使用できる連続モードが所定期間有効であって、前記発光の停止又は弱化以前又は同時に連続モードが無効となるものである。このように本発明においては、連続モードを有して前記発光の停止又は弱化以前又は同時に連続モードが切れるので、発光の停止又は弱化がなされていれば連続モードではないということを使用者が認識することができる。すなわち、使用者は発光の停止又は弱化がなされていると連続モードではないということが分かり、装置内の水の排水があるかもじれないと認識し、表示部の表示を注意深く見て吐水開始直後の非飲料水を誤飲することがない。
【００１４】
また、本発明に係るイオン水生成装置は、受光検出部を設け、当該受光検出部が光を検出できなくなった後所定期間後に、表示部の発光を停止又は弱めるものである。このように本発明においては、受光検出部を新たに設け、当該受光検出部が光を検出できなくなった後に、表示部の発光を停止しているので、光が検出できない暗闇で使用者が使用することは原則としてなく、この時に表示部の発光を停止することで無駄な発光を止め、また、暗闇の中で際立って目立つ発光を停止することで使用者の目障りとならない。
【００１５】
また、本発明に係るイオン水生成装置は、人体検出部を設け、当該人体検出部が人を検出できなくなった後所定期間後に、表示部の発光を停止又は弱めるものである。このように本発明においては、新たに人体検出部を設け、当該人体検出部が人体を検出できなくなった後に、表示部の発光を停止しているので、キッチンで作業をする場合には使用者は通常移動することが多く、その移動の度に人体検出部が人体を検出するために、使用者がいる間は表示部が発光した状態となって、使用者がいない間は表示部が発光しない状態となり、必要時に発光がなされ、無駄がなく、使用者の目障りとならない。
【００１６】
また、本発明に係るイオン水生成装置は、時刻を検出する時計部を設け、各時間帯の使用者の使用頻度を計算し、使用頻度の少ない時間帯には表示部の発光を停止又は弱めるものである。このように本発明においては、新たに時計部を設け、使用者の使用頻度を時計部により時刻を検出しつつ各時間帯ごとに計算し、使用頻度の少ない時間帯には表示部の発光を停止するので、人間を生活パターンは通常一定パターンで推移し、しかもキッチンを主に利用する主婦などは特にその傾向が高く、その傾向を使用頻度という形で計算することで、無駄な発光を抑え、使用者の目障りとなる発光を極力防止することができる。
【発明を実施するための最良の形態】
【００１７】
（本発明の第１の実施形態）
本発明の第１の実施形態に係るイオン水生成装置について、図１ないし図８に基づき説明する。図１は本実施形態に係るイオン水生成装置の全体構成ブロック図、図２は本実施形態に係るイオン水生成装置の全体斜視図、図３は本実施形態に係るイオン水生成装置を操作するための操作パネルの平面図、図４は本実施形態に係るイオン水生成装置のアルカリ水生成モードにおける状態変移図、図５は本実施形態に係るイオン水生成装置の浄水モードにおける状態変移図、図６は本実施形態に係るイオン水生成装置の酸性水生成モードにおける状態変移図、図７は本実施形態に係るイオン水生成装置の衛生水生成モードにおける状態変移図、図８は本実施形態に係るイオン水生成装置の具体的構成の背面図の断面図及び背面方向からの上面断面図である。
【００１８】
本実施形態に係るイオン水生成装置は、水を電気分解する電解槽１０及び表示部となる操作パネル９０を備え、止水後使用者が操作しないまま所定期間経過後に操作パネル９０の発光のうち少なくとも選択されている機能水の種類を示す発光を停止する構成である。また、電解槽１０のスケールの付着を防止する逆電解を前記操作パネル９０の発光停止前までに完了する構成である。
【００１９】
前記図１に示すように本実施形態に係るイオン水生成装置は、第１の電極板１１が中央に位置し、この第１の電極板１１を挟み込むように位置する２つの電極板（第２の電極板１２、第３の電極板１３）を有する電解槽１０を備える。この電解槽１０は、第１の電極板１１と第２の電極板１２との間、及び、第１の電極板１１と第３の電極板１３との間にそれぞれ隔壁１４を有し、これら電極板１１、１２、１３、隔壁１４により４つの電解室１５、１６、１７、１８を構成し、それぞれ、第１の電解室１５、第２の電解室１６、第３の電解室１７、第４の電解室１８とする。第２の電極板１６と第３の電極板１７は、電源部６１からの供給を受け、陰極板又は陽極板となり、同一極の電極板となる。一方、第１の電極板１１は、第２の電極板１２と第３の電極板１３の極とは逆の極となって、すなわち、第２の電極板１２と第３の電極板１３が陰極板となっている場合には陽極板となり、逆に、第２の電極板１２と第３の電極板１３が陽極板となっている場合には陰極板となる。各電解室１５、１６、１７、１８には水の流入口と流出口が設けられており、流出口は補助電解槽２０への補助電解槽水路８１が接続されている。第１の電解室１５と第４の電解室１８の補助電解槽水路８１は合流し１つの補助電解槽水路８１となって補助電解槽２０の第２の補助電解室２５の流入口と接続し、同様に、第２の電解室１６と第３の電解室１７の補助電解槽水路８１は合流し１つの補助電解槽水路８１となって補助電解槽２０の第１の補助電解室２４の流入口と接続する。
【００２０】
補助電解槽２０は、第１の補助電極板２１、第２の補助電極板２２及び隔壁２３からなり、電解槽１０を通水してきた水を再び電解することができ、ここでの電解は活性水素量を増加させるために行う。この補助電解槽２０の第１の補助電解室２４の流出口は排出水路７２と接続しており、かかる排出水路８２上には排出口６２近辺に電磁弁６３が配設されている。他方、補助電解槽２０の第２の補助電解室２５の流出口は吐水水路８７と接続しこの吐水水路８７の先端が電解水吐水口６４となっている。
【００２１】
第１の電解室１５、第２の電解室１６、第３の電解室１７及び第４の電解室１８の流入口にはそれぞれ電解槽水路８３が接続されているが、この電解槽水路８３は手前で合流している。この合流した電解槽水路８３は一方が排出水路８２と逆止弁６５を介して接続している。
【００２２】
前記電解槽１０は、水道管６６から水道蛇口６７を介して水の供給を受けるわけであるが、水道蛇口６７には分岐栓６８が配設され、かかる分岐栓６８に給水ホース６９の一方が接続し、給水ホース６９の他方が下浄水カートリッジ３１の流入口と接続されている。下浄水カートリッジ３１は、主に活性炭が充填してある。下浄水カートリッジ３１の流出口は上浄水カートリッジ水路７４を介して上浄水カートリッジ３２の流入口と接続している。上浄水カートリッジ３２は、金属メッシュや布材、ろ紙などの比較的粗いフィルター以外に中空糸膜のような雑菌等まで除去可能なろ過手段である。上浄水カートリッジ３２の流出口は流量センサー水路８５を介して流量センサー５１の流入口と接続している。流量センサー５１は、流水量を測定可能に構成され、例えば、流量センサー５１中央部にプロペラを設け、かかるプロペラの回転数により流水量を測定するものである。流量センサー５１の流出口は、水路切替水路８６の一方と接続し、水路切替水路８６の他方が水路切替５２の流入口と接続している。水路切替５２は、流入口１つに対し、流出口を２つ持ち、一方の流出口が水路を介して食塩添加筒４１と接続し、他方の流出口が水路を介してカルシウム添加筒４２と接続し、切替を操作することで、流入口と一方の流出口が流通可能状態となる。食塩添加筒４１には、電解槽で水を強酸性にするために食塩（Nacl）を添加可能に備えてある。他方、カルシウム添加筒４２には、流入口から流入してくる水にカルシウムを添加可能に備えてある。食塩添加筒４１の流出口に接続されている水路とカルシウム添加筒４２に接続されている水路は合流しており、合流前の食塩添加筒４１の流出口に接続されている水路上に逆止弁７０が設けられている。
【００２３】
イオン水生成装置は既に説明したイオン水生成装置の構成要素の一部を各種制御する制御回路５０も備えている。かかる制御回路５０は制御するため、流量センサー５１、水路切替５２に備えてある強酸性検知スイッチ５３、第１の電極板１１、第２の電極板１２、第３の電極板１３、第１の補助電極板２１、第２の補助電極板２２と電気的に接続している。流量センサー５１は、検出した電気信号を制御回路５０に出力し、制御回路５０は流量センサー５１からの電気信号により通水量を計算する。強酸性検知スイッチ５３は、手動又は自動で切替可能な水路切替５２が現在の切替状態を制御回路５０に電器信号として出力する。第１の電極板１１、第２の電極板１２、第３の電極板１３、第１の補助電極板２１及び第２の補助電極板２２は、制御回路５０と間接的に接続され、制御回路５０が使用者のパネル操作により与えられた制御信号に基づき特定の電極板１１、１２、１３、２１、２２に電圧印加を行う。したがって、第１の電極板１１、第２の電極板１２、第３の電極板１３、第１の補助電極板２１及び第２の補助電極板２２は、電源部６１と電気的に接続され、制御回路５０はかかる電源回路からの電気の供給を制御している。
【００２４】
前記パネル９０は本イオン水生成装置の前面側中央に配設され、図３に示すように、使用者が操作可能なボタンとして、電源ボタン９０ａ、ORP表示ボタン９０ｂ、通水量表示ボタン９０ｃ、強アルカリ水供給ボタン９０ｄ、第１レベルのアルカリ水供給ボタン９０ｅ、第２レベルのアルカリ水供給ボタン９０ｆ、第３レベルのアルカリ水供給ボタン９０ｇ、浄水供給ボタン９０ｈ、酸性水供給ボタン９０ｉ、衛生水（強酸性水）供給ボタン９０ｊ、寿命設定上ボタン９０ｋ、寿命設定下ボタン９０ｌ及びリセットボタン９０ｍがある。また、ペーハー（pH）、ORP、通水量等の情報を表示する7セグメントLED９１をも備える。電源ボタン９０ａは、本イオン水生成装置を起動させるためのボタンであり、どのような状態であっても有効なボタンである。電源ボタン９０ａを押下しても、排水処理等処理が途中であるものが終了していない場合はそれらの処理が終了して電源が落ちるようにすることが好ましい。ORP表示ボタン９０ｂは、前記7セグメントLED９１に現在の水のORPを表示させるためのボタンである。通水量表示ボタン９０ｃは、前記7セグメントLED９１に現在の水の通水量を表示させるためのボタンである。強アルカリ水供給ボタン９０ｄは、本イオン水生成装置に強アルカリ水の生成を指示するためのボタンであり、ボタンが有効となれば点灯する。強アルカリ水は、例えば、ペーハー（pH）が10.5であり、煮物、アク抜き、野菜ゆで等に使用することができる。第１レベルのアルカリ水供給ボタン９０ｅは、本イオン水生成装置に第１レベルのアルカリ水の生成を指示するためのボタンであり、ボタンが有効となれば点灯する。第１レベルのアルカリ水は、例えば、ペーハー（pH）が9.5であり、料理、お茶等に使用することができる。第２レベルのアルカリ水供給ボタン９０ｆは、本イオン水生成装置に第２レベルのアルカリ水の生成を指示するためのボタンであり、ボタンが有効となれば点灯する。第２レベルのアルカリ水は、例えば、ペーハー（pH）が9.0であり、炊飯等に使用することができる。第３レベルのアルカリ水供給ボタン９０ｇは、本イオン水生成装置に第３レベルのアルカリ水の生成を指示するためのボタンであり、ボタンが有効となれば点灯する。第３レベルのアルカリ水は、例えば、ペーハー（pH）が8.5であり、飲み始めの水等として使用することができる。浄水供給ボタン９０ｈは、本イオン水生成装置にイオン水を生成することなく水道水からの水をそのまま通水させることを指示するためのボタンであり、ボタンが有効となれば点灯する。酸性水供給ボタン９０ｉは、本イオン水生成装置に酸性水の生成を指示するためのボタンであり、ボタンが有効となれば点灯する。酸性水は、例えば、ペーハー（pH）が5.5であり、洗顔、麺ゆで、茶渋とり等に使用することができる。衛生水供給ランプ９０ｊは、本イオン水生成装置に衛生水の生成モードであることを示すものであり、ボタンが有効となれば点灯する。衛生水は、例えば、ペーハー（pH）が2.5である。寿命設定上ボタン９０ｋは、上浄水カートリッジ４２の種類に応じて寿命も異なるため、前記上浄水カートリッジ４２の寿命を設定するものであり、このボタンは、通常であれば、カートリッジを交換した時に今まで使用してきたカートリッジと異なるカートリッジをセットして使用する場合に１回行われるものである。寿命設定下ボタン９０ｌも、前記寿命設定上ボタン９０ｋと同様なものであり、下浄水カートリッジ３１に対するものである点のみ異なる。リセットボタン９０ｍは、現在まで積算されてきた通水量である積算通水量をリセットするものであり、実際には、制御回路５０に存在する積算通水量カウンタをクリアする。このリセットボタン９０ｍは、２秒長押しで有効となり、誤って押下されて積算通水量がリセットされるのを防止している。このリセットボタン９０ｍは、上浄水カートリッジ３２、又は、下浄水カートリッジ３１を交換した場合に、行われる。前記強アルカリ水供給ボタン９０ｄ、第１レベルのアルカリ水供給ボタン９０ｅ、第２レベルのアルカリ水供給ボタン９０ｆ、第３レベルのアルカリ水供給ボタン９０ｇ、浄水供給ボタン９０ｈ、酸性水供給ボタン９０ｉの機能水の通水モードを示すボタンは、現在有効となっているボタンが点灯し、使用者に視認可能となっている。この他、電解槽１０内の温度上昇が生じた場合に、使用者に知らせるための温度上昇ランプ、上浄水カートリッジ３２の交換を促す上浄水カートリッジ交換時期ランプ９０ｐ、下浄水カートリッジ３１の交換を促す下浄水カートリッジ交換時期ランプ９０ｑも操作パネル９０上に配設されている。他に、洗浄中ランプ９０ｎ及びすすぎランプ９０ｏがあるが、追って説明する。選択されている機能水の種類を示す発光とは、本実施形態においては、強アルカリ水供給ボタン９０ｄ、第１レベルのアルカリ水供給ボタン９０ｅ、第２レベルのアルカリ水供給ボタン９０ｆ、第３レベルのアルカリ水供給ボタン９０ｇ、浄水供給ボタン９０ｈ、酸性水供給ボタン９０ｉ及び衛生水供給ランプ９０ｊであり通水モードの表示である。ここで、本実施形態ではボタンとランプとを組み合わせたボタンであるが、別々の構成のものでもよい。
【００２５】
既に、各ボタンで説明した通り、本イオン水生成装置においては、大きく分けて、アルカリ水を供給するアルカリ水生成モード、浄水を供給する浄水モード、酸性水を供給する酸性水生成モード、衛生水を供給する衛生水生成モードの４つの生成モード（通水モード）がある。そして、アルカリ水生成モードには、アルカリ性の強い順に、強アルカリ水生成モード、第１レベルのアルカリ水生成モード、第２レベルのアルカリ水生成モード、第３レベルのアルカリ水生成モードがある。アルカリ水生成モードでは、前記電磁弁６３が開いた状態で、制御回路５０の制御により第２の電極板１２及び第３の電極板１３を陰極板とし、第１の電極板１１を陽極板とする。各レベルのアルカリ水生成モードでは、印加する電圧が異なり、強アルカリ水生成モード、第１レベルのアルカリ水生成モード、第２レベルのアルカリ水生成モード、第３レベルのアルカリ水生成モードの順に相対的に高い電圧が印加される。浄水モードでは、電磁弁６３を閉じた状態で、どの電極板１１、１２、１３にも電圧を印加せず、すなわち、電解しない。ここで、電磁弁６３を閉じることで、無駄な水が排出口６３から排出されることがなくなる。酸性水生成モードでは、前記アルカリ水生成モードとは逆で、制御回路５０の制御により第２の電極板１２及び第３の電極板１３を陽極板とし、第１の電極板１１を陰極板とする。
【００２６】
以上の生成モードを生成状態とすると、本イオン水生成装置には他の状態が存在し、電源が投入されていないパワーオフ状態、待機状態、排水状態、捨て水状態、洗浄状態、生成停止状態、リトライ状態、すすぎ状態及び消灯待機状態がある。これらの状態について、各状態への移行と合わせて図４ないし図７に基づき以下説明する。
【００２７】
パワーオフ状態から、操作パネル９０の電源ボタン９０ａを押下し、本イオン水生成装置を起動させた状態が待機状態である。待機状態は、通水が行われておらず（流量センサーが検出できないレベルでの通水は除く）、電磁弁６３が閉じた状態である。電磁弁６３が開く必要があるのは、通常であれば、イオン水を生成している場合に、使用しない極性のイオン水を排水するためであり、イオン水を生成していない待機状態では電磁弁６３を開いておく必要がないため、閉じた状態としている。待機状態からパワーオフになった場合電磁弁６３が閉じた状態となっており、パワーオフ状態であっても排出口６２から水が無駄に排出されることがない。待機状態で、所定以上の通水量の通水が行われない場合には、電磁弁６３を開いた状態であって滞留水を排水する排水状態に移行する。これは、他の状態から待機状態に移行してきた場合に、添加筒４１、４２、電解槽１０、補助電解槽２０及び各水路に水が滞留しているとき、時間経過と共に、滞留水のばい菌、細菌等が増殖することを防止するためである。したがって、待機状態から排水状態への移行、排水完了後所定時間経過後の待機状態への復帰は、所定時間毎に行われ、ばい菌、細菌等の増殖の温床となる滞留水の排水を図る。また、前記待機状態とは別に消灯待機状態という状態があり、待機状態と異なるところは、操作パネル９０の表示が全て消灯している点であり、この消灯待機状態には待機状態から使用者が操作（水道蛇口６７、操作パネル９０の操作）しないまま所定時間を経過したときに移行し、消灯待機状態に移行した後は操作パネル９０に対する操作が加えられた場合又は通水の場合に待機状態に復帰する。パワーオフ状態、待機状態、排水状態、消灯待機状態までの移行は、現在選択されている生成モードに依らず、同じである。他の状態への移行は現在選択されている生成モードにより異なるため、以下生成モード毎、すなわち、アルカリ水生成モード、酸性水生成モード、浄水モード、衛生水生成モードそれぞれ順に説明する。
【００２８】
アルカリ水生成モードが選択されている場合においては、待機状態若しくは排水状態から通水がなされた場合には、電磁弁６３を開いて所定量若しくは所定時間滞留水を捨てる捨て水状態に移行する（以下、図４参照）。捨て水状態での捨て水が完了後、前記説明したアルカリ水生成モードの生成状態に移行する。アルカリ水生成モードの生成状態時に、電解槽１０内で過電流、過小電流となった場合に、電極板１１、１２、１３に電圧を印加することなくイオン水生成しないリトライ状態に移行する。リトライ状態では、まったく電極板１１、１２、１３に電圧を印加しないのではなくて、所定間隔で電極板１１、１２、１３に電圧を印加し、電解槽１０内で過電流、過小電流とならないかをトライアルする。そして、トライアルが成功した場合には生成状態に再び復帰する。ここで、生成状態で、電解槽内で過電流、過小電流となった場合には全て、リトライ状態に移行するのではなく、所定のリトライ条件を満たした場合にのみリトライ状態に移行する。というのは、リトライしても意味がないほどの異常の場合には、リトライすることにより修復不可能な状態になる可能性があるだけでなく、安全面から好ましくないからである。したがって、リトライ条件を満たさない場合に、又は、アルカリ水生成モードの生成状態に移行してからの経過時間が所定時間経過した場合には、状態移行後所定期間経過後に電磁弁６３を閉じる生成停止の状態に移行する。電流異常、温度上昇により生成停止の状態に移行した場合で、止水となれば、排水状態に移行する。アルカリ水生成モードの生成状態に移行してからの経過時間が所定時間経過したことにより生成停止の状態に移行した場合で、止水となれば、洗浄状態に移行する。洗浄状態には、生成状態で止水した場合であっても移行する。この洗浄状態では、電磁弁６３を閉じ、電圧の印加を逆電圧にし、アルカリ水生成モードの生成状態で陰極板となっていた第２の電極板１２と第３の電極板１３を陽極板とし、第１の電極板１１も陽極板から陰極板にし、所定期間電圧を印加する。こうすることで、電極板１１、１２、１３に付着したスケール等を除去し、次回のイオン水生成を円滑に行うことができる。ここで、逆止弁６５は通水時は水圧がかかって、排出水路８２方向へ水を流さないが、水圧がかかっていない止水された状態にあっては排出水路８２方向へ水を流してしまうため、電磁弁６３を閉じており、これにより、電解槽１０内を十分に水が充填された状態で洗浄することができる。洗浄状態での所定時間の電圧印加が完了した場合には、通常であれば、排水状態に移行し、通水となれば、排水状態に移行することなく捨て水状態に移行する。ここで、洗浄状態では、いわゆる逆電解をおこなってスケール等を除去しているのであり、滞留水には不純物が含まれ、かかる不純物が含まれた滞留水を確実に排水すべく、排水状態又は捨て水状態に移行している。
【００２９】
浄水モードが選択されている場合においては、待機状態若しくは排水状態から通水がなされた場合には、電磁弁６３を開いて所定量若しくは所定時間滞留水を捨てる捨て水状態に移行する（以下、図５参照）。捨て水状態での捨て水が完了後、水道管６６から各種水路を経て供給されてきた水を電解槽１０で電圧を印加することなく、電解水吐水口６４から吐水する前記説明した浄水モードの生成状態に移行する。この浄水モードの生成状態からは所定条件下で移行する状態はなく、単に、通水を止めて止水した場合には、排水状態に移行する。生成状態時に電磁弁６３が閉じているのは、排出口６２から水を無駄に排出しないためである。
【００３０】
酸性水モードが選択されている場合においては、待機状態若しくは排水状態から通水がなされた場合には、電磁弁６３を開いて所定量若しくは所定時間滞留水を捨てる捨て水状態に移行する（以下、図６参照）。捨て水状態での捨て水が完了後、酸性水生成モードの生成状態に移行する。酸性水生成モードの生成状態時に、電解槽１０内で過電流、過小電流となった場合に、電極板１１、１２、１３に電圧を印加することなくイオン水生成しないリトライ状態に移行する。電流異常、温度上昇により生成停止の状態に移行した場合で、止水となれば、排水状態に移行する。酸性水生成モードの生成状態に移行してからの経過時間が所定時間経過したことにより生成停止の状態に移行した場合で、止水となれば、洗浄状態に移行することなく、通常であれば、排水状態に移行し、通水となれば、排水状態に移行することなく捨て水状態に移行する。
【００３１】
衛生水モードが選択されている場合においては、待機状態若しくは排水状態から通水がなされた場合には、電磁弁６３を開いて所定量若しくは所定時間滞留水を捨てる捨て水状態に移行する（以下、図７参照）。捨て水状態での捨て水が完了後、衛生水生成モードの生成状態に移行する。衛生水生成モードの生成状態時に、電解槽１０内で過電流、過小電流となった場合に、電極板に電圧を印加することなくイオン水生成しないリトライ状態に移行する。衛生水生成モードの生成状態時には、通常の水を電解槽１０で電解するのに比べ水に食塩が混入しているために高い電流値となる。しかしながら、食塩添加筒の食塩が溶解しきってしまうと徐々に食塩の濃度が小さくなるため、電流値が小さくなる。使用者は、所望の量の衛生水を得るために必要に応じて食塩添加筒４１に食塩を入れて、動作させることとなる。したがって、食塩の濃度が小さくなるのは、本イオン水生成装置の予定するところである。よって、本装置は食塩の濃度が小さくなって所定の電流値となった場合に衛生水の生成を継続しつつも、生成状態（食塩なし）に移行する。また、衛生水生成モードの生成状態において、最初から所定の電圧を電極板に印加しても想定される電流値が得られない場合であっても、生成状態（食塩なし）に移行する。生成状態（食塩なし）とは、食塩添加筒４１に食塩がなく、電解槽１０中の水が所定濃度の食塩水となっておらず、円滑に電解が行われていないことを示し、所定時間経過後にすすぎに移行する。すすぎは、電磁弁６３を開いた状態で電極板１１、１２、１３、補助電極板２１、２２に電圧を印加することなく、水を通水する状態である。すすぎに移行した後、止水すれば排水状態に移行し、止水することなく通水状態が維持され所定期間が経過すれば生成停止の状態に移行する。５分経過である場合にもすすぎ状態に移行しているが、これは５分も経過していれば衛生水を全て生成していると推定できるところからなされたものであり、この５分は例示に過ぎず他の所定時間に変更しても構わず、また、この状態変移経路を削除した構成にもできる。
【００３２】
上記各モードにおいて、排水状態及び洗浄状態の時にランプ９０ｎが点灯し、すすぎ状態のときすすぎランプ９０ｏが点灯し、使用者に注意を喚起する。また、これらランプの点灯だけでなく、使用者が洗浄状態及び排水状態時に通水した場合には、警告音を所定期間鳴らし、洗浄中ランプが点滅する。
【００３３】
前記各モードが選択されている場合の捨て水状態での捨て水は、一律に所定量、所定時間行われるわけではない。制御回路５０は、待機状態又は排水状態からそのまま生成状態に移行するのではなく、捨て水状態を介して生成状態に移行する。これは、最低限捨てることが好ましい滞留水を処理するためである。制御回路５０は、電源を投入して始めて通水した場合、又は、止水から所定時間経過した場合には（ここでの所定時間とは、例えば、１５［分］ないし６０［分］であり、好ましくは４５［分］）、第１の通水量の捨て水を行い、止水から所定の時間が経過前の通水の場合に第２の通水量の捨て水を行う。このとき第１の通水量（例えば、８００［ｃｃ］ないし１１００［ｃｃ］、好ましくは１０００［ｃｃ］）が第２の通水量（例えば、４００［ｃｃ］ないし７００［ｃｃ］、好ましくは６００［ｃｃ］）より大きいこととする。このように所定時間経過前後により、捨て水の量を変えたのは、水の中で増殖するばい菌、細菌は時間経過により一気に増殖をするために、一定時間内であれば、捨て水の量を減らし、一定時間内の場合の生成状態への移行を迅速にし使用者の待ち時間を短くし、さらには、捨て水の量が減っていること自体により節水の目的も適う。
【００３４】
また、前記第１の通水量又は第２の通水量の捨て水は、止水状態から供給状態への移行時に関するものであるが、あるモードのイオン水生成状態の供給状態から他のモードのイオン水生成状態の供給状態への変移である場合には、次のように制御回路５０は捨て水を制御する。つまり、制御回路５０は、酸性水生成モードの生成状態からアルカリ水生成モードの生成状態若しくは浄水モードの生成状態に移行する場合に、第３の通水量の捨て水を行い、アルカリ水生成モードの生成状態から酸性水生成モードの生成状態若しくは浄水モードの生成状態に移行する場合に、又は、浄水モードの生成状態から酸性水生成モードの生成状態若しくはアルカリ生成の生成状態に移行する場合に、第４の通水量の捨て水を行う。このとき第３の通水量（例えば、４５０［ｃｃ］ないし７００［ｃｃ］、好ましくは６００［ｃｃ］）が第４の通水量（例えば、２００［ｃｃ］ないし３５０［ｃｃ］、好ましくは２５０［ｃｃ］）より大きいこととする。このように酸性水生成モードの生成状態からアルカリ水生成モードの生成状態若しくは浄水モードの生成状態に移行する場合と、アルカリ水生成モードの生成状態から酸性水生成モードの生成状態若しくは浄水モードの生成状態に移行する場合、又は、浄水モードの生成状態から酸性水生成モードの生成状態若しくはアルカリ生成の生成状態に移行する場合とで、捨て水の量を変えたのは、酸性水の用途は洗顔、麺ゆで、茶渋とり等であるのに対し、アルカリ水の用途は料理・お茶、炊飯、飲み始め等であり、直接人間が摂取するのはアルカリ性が好ましく、酸性水であるのは必ず避けなければならないからである。すなわち、アルカリ水生成モードの生成状態で電解水吐水口６４から吐水されるものは必ずアルカリ水でなければならず、一部が酸性水であることは許されないため、若干余裕をもった捨て水量となっているのに対し、酸性水生成モードの生成状態で電解水吐水口６４から吐水されるものも酸性水でなければならないが、余裕をもった捨て水量とするほどの必要性に乏しいため、おおよそアルカリ水が吐水されない程度の捨て水量とした。また、出来得る限り、捨て水を小さくすることで、捨て水状態への移行が早くなり、同時に節水も実現される。
【００３５】
また、衛生水に関し、衛生水生成モードから生成停止となった場合に、他のモードへの移行するために電解槽１０内の処理対象の水に混入する前記触媒の濃度を低減させる衛生水すすぎを行った後、次のモードに移行したときに、衛生水すすぎが完了していた場合に第５の通水量の捨て水を行い、衛生水すすぎが未完了であった場合に第６の通水量の捨て水を行う。このとき第６の通水量（例えば、少なくとも８００［ｃｃ］ないし１１００［ｃｃ］、好ましくは１０００［ｃｃ］）が第５の通水量（例えば、２００［ｃｃ］ないし３５０［ｃｃ］、好ましくは２５０［ｃｃ］）より大きいこととする。このように衛生水生成モードから生成停止となった場合に、衛生水すすぎを行った後、次のモードに移行したときに、衛生水すすぎが完了していた場合と、衛生水すすぎが未完了であった場合とで、捨て水量を変えたのは、衛生水は飲料用ではなく、飲料用ともなり得るアルカリ水、浄水にあっては、衛生水が混入されることは必ず避けなければならず、また、アルカリ水、浄水に限らず、酸性水であっても食塩が含まれた水を酸性水といえでも使用することは好ましくないため、確実にすすぎは完了していることが望ましいが、すすぎが完了する前に、止水されたことにより排水状態等に移行した場合にあってはすすぎが未完了の状態となっており、すすぎを完了させる必要があるが、止水されればすすぎを行うことができないため、それに対応すべく、次の通水となった場合の捨て水状態でかかるすすぎ未完了の補填を行っているのである。
【００３６】
前記第１の通水量は、本イオン水生成装置の内容量程度と一致し、これにより、電源を投入して始めて通水した場合、又は、止水から所定時間経過した場合には、装置の内容量の捨て水が行われ、滞留水が一掃されて細菌等増殖していても確実に除去することができる。前記第２の通水量は、電解槽１０の内容量程度と一致し、これにより、電解槽のスケール等の不純物は排除することができる。前記第３の通水量は、電解槽１０の内容量程度と一致し、これにより、止水から所定の時間が経過前の通水の場合、酸性水生成モードの酸性水生成中からアルカリ水生成モードのアルカリ水生成中若しくは浄水モードの通水中に移行する場合には、電解槽１０の内容量の捨て水が行われ、滞留水として残存する酸性水を使用者が使用する水として吐水することがなく、指定されたモードの生成水のみを使用者に提供することができる。前記第４の通水量は、電解槽１０の内容量にも満たない量であり、これにより、アルカリ水生成モードのアルカリ水生成中から酸性水生成モードの酸性水生成中若しくは浄水モードの通水中に移行する場合、浄水モードの通水中から酸性水生成モードの酸性水生成中若しくはアルカリ水生成モードのアルカリ水生成中に移行する場合には、第３の通水量より少ない量の捨て水が行われるが、これは既に前述した通り、第３の通水量の捨て水を行う場合の方が第４の通水量の捨て水を行う場合の方よりも若干余裕をもった捨て水量としなければならないからである。
【００３７】
また、衛生水生成モード以外のモードから衛生水生成モードに移行する場合に、第７の通水量の捨て水を行う。この第７の通水量が第４の通水量と同程度であることとする。衛生水も酸性水と同様に、余裕をもった捨て水量とするほどの必要性に乏しいため、この通水量とした。
【００３８】
また、捨て水状態において、ランプの点灯及び警告音により使用者に使用してはいけないことを喚起することもできる。別途ランプを設けることもできるが、洗浄中ランプ９０ｎ又はすすぎランプ９０ｏを点灯させたり、「NO USE」を7セグメントLEDで表示したり、浄水供給ボタン９０ｈ、酸性水供給ボタン９０ｉ、衛生水供給ランプ９０ｊにカラーLEDを配設し、生成状態を緑、捨て水状態を赤、リトライ状態を黄色と発光させることもできる。特に、カラーLEDを用いる場合に、信号機に対応させて発光させることにより、万国共通に各状態を認識させることができる。
【００３９】
前記電磁弁６３は、制御回路５０の制御が及び、開いたり閉じたりすることができるが、逆止弁６５は制御回路５０の制御は及ばず、常時、排出水路８２から電解槽水路８３方向への水の流れを止めつつ、且つ、通水時の水圧がある場合には電解槽水路８３方向への水の流れだけでなく電解槽水路８３から排出水路８２方向への水の流れを止める。前記背景技術によれば、電磁弁のみを有するもの、逆止弁のみを有するものがあったが、これらのものでは、逆電解時の水の排出を止め、且つ、通水時に水を排出水路８２方向へ通さず、さらに、浄水時に水を排水しないということを達成することができない。すなわち、電磁弁６３は、逆電解時に排出されそうになる滞留水を留め、且つ、浄水時に水を排出しないという役割を負い、逆止弁６５は、排出水路８２方向からの水を電解槽水路８３に逆流して流入することを防止し、且つ、通水時に電解槽水路８３から排出水路８２方向への水の流れを防止している。
【００４０】
次に、本実施形態に係るイオン水生成装置の使用動作について説明する。ここで、使用者は、操作パネル９０を用いて、順次アルカリ水生成モード、浄水モード、酸性水生成モード及び衛生水生成モードを使用する。
【００４１】
まず、使用者は、本イオン水生成装置の電源コードのプラグをコンセントに差し込み、電源投入可能にする。この状態は、イオン水生成装置にとっては、パワーオフの状態である。次に、操作パネル９０の電源ボタン９０ａを押下し、待機状態に移行する（このとき、工場出荷のデフォルトで浄水供給ボタン９０ｈが選択状態で、点灯しているとする）。使用者は、電源ボタン９０ａの押下と共に、第１レベルのアルカリ水供給ボタン９０ｅを押下し、水道蛇口６７をひねって通水した。第１レベルのアルカリ水供給ボタン９０ｅを押下すると、浄水モードの待機モードからアルカリ水生成モードの待機モードに移行し、さらに連続して通水されたので、排水状態に移行することなしに、捨て水に移行する。通水時であるので、逆止弁６５は、排出水路８２方向に水を流さない。ここで、電源投入して始めての通水であるので、制御回路部５０の制御により、第１の通水量の捨て水がなされる。捨て水がなされる場合には、電磁弁６３が開くと共に、7セグメントLED９１が点滅する。捨て水が終了すると、制御回路５０の制御により、電磁弁６３を開いた状態を維持したまま、第１の電極板１１を陽極板、第２の電極板１２及び第３の電極板１３を陰極板となるように電極板１１、１２、１３に電源部６１からの供給を受け電圧を印加する。そうすると、電解槽１０で水の電解が生じ、マグネシウムイオン、ナトリウムイオン、カリウムイオン及びカルシウムイオン等は陰極板に引かれ、水酸イオン、硫酸イオン、硝酸イオン及び塩素イオン等は陽極板に引かれ、第１の電解室１５及び第４の電解室１８にはアルカリ水が生成され、第２の電解室１６及び第３の電解室１７には酸性水が生成される。そして、補助電解槽２０等を通って電解水吐水口６４からアルカリ水が吐水される。使用者は、吐水されるアルカリ水を利用して料理等に使用しようと思い、使用者所望の量だけアルカリ水を手に入れ、水道蛇口６７を閉めて通水を止めた。止水時であるので、逆止弁６５は、排出水路８２方向に水を流す。さらに、生成状態から洗浄状態に移行し、電磁弁６３を閉じ、第１の電極板１１を陰極板、第２の電極板１２及び第３の電極板１３を陽極板となるように電極板１１、１２、１３に電源部６１の供給を受け電圧を制御部５０の制御により印加する。これは、すなわち、先ほどアルカリ水を生成した場合と逆に電圧を印加していることとなる。そうすると、アルカリ水生成時に陰極板として働いた第２の電極板１２及び第３の電極板１３に付着したスケール等が剥がれ落ち、第１の電解室１５、第４の電解室１８の水中で浮遊状態となる。洗浄状態で所定時間電圧を印加した後、排水状態に移行し、閉じていた電磁弁６３を開き、スケール等の不純物が混入した水を排出口６２から排水する。排水状態に移行してから所定時間経過後、滞留水を全て排水した状態で待機状態に移行する。さらに、所定時間（例えば、１０分）操作パネル９０への操作、通水がなされない場合に消灯待機状態に移行し、操作パネル９０の表示のうち機能水の通水モードを示すボタンである前記強アルカリ水供給ボタン９０ｄ、第１レベルのアルカリ水供給ボタン９０ｅ、第２レベルのアルカリ水供給ボタン９０ｆ、第３レベルのアルカリ水供給ボタン９��ｇ、浄水供給ボタン９０ｈ、酸性水供給ボタン９０ｉ、衛生水供給ランプ９０ｊのうち、現在有効である点灯しているボタンが消灯する。この消灯待機状態に移行した状態にあっては、前記したように既に逆電解が完了している。消灯待機状態に移行した後は、操作パネル９０への操作、又は通水がなされた場合に待機状態に復帰し、表示が点灯される。
【００４２】
次に、使用者は、操作パネル９０の浄水供給ボタン９０ｈを押下する。これにより、第１レベルのアルカリ水供給ボタン９０ｅの点灯から浄水供給ボタン９０ｈの点灯となり、アルカリ水生成モードの待機状態から浄水モードの待機状態に移行する。続けて、使用者は、水道蛇口６７をひねって通水した。通水時であるので、逆止弁６５は、排出水路８２方向に水を流さない。待機状態から直ぐに通水されたので、排水状態を経ることなく、捨て水状態に移行する。ここで、先ほどのアルカリ水の生成から、すなわち、止水から所定の時間が経過する前であるので、制御回路部５０の制御により、電磁弁６３が開き、第２の通水量の捨て水がなされる。捨て水がなされる場合には、電磁弁６３が開くと共に、7セグメントLED９１が点滅する。捨て水が終了すると、電磁弁を閉じ、電極板１１、１２、１３、１４に電圧を印加しない生成状態に移行する。そして、補助電解槽２０等を通って電解水吐水口６４から浄水が吐水される。このとき、電磁弁６３を閉じているので、排出口６２からは水は排出されない。無駄に水を排水していない点節水に繋がる。この点アルカリ水生成モードの生成状態と異なる。使用者は、吐水される浄水を利用して薬を飲もうと思い、使用者所望の量だけ浄水を手に入れ、水道蛇口６７を閉めて通水を止めた。止水時であるので、逆止弁６５は、排出水路８２方向に水を流す。さらに、生成状態から排水状態に移行し、閉じていた電磁弁６３を開き、滞留水を排出口６２から排水する。排水状態に移行してから所定時間経過後、滞留水を全て排水した状態で待機状態に移行する。さらに、所定時間（例えば、１０分）操作パネル９０への操作、通水がなされない場合に消灯待機状態に移行し、操作パネル９０の表示のうち機能水の通水モードを示すボタンであって点灯しているボタンが消灯する。消灯待機状態に移行した後は、操作パネル９０への操作、又は通水がなされた場合に待機状態に復帰し、表示が点灯される。
【００４３】
次に、使用者は、操作パネル９０の酸性水供給ボタン９０ｉを押下する。これにより、浄水供給ボタン９０ｈの点灯から酸性水供給ボタン９０ｉの点灯となり、浄水モードの待機状態から酸性水生成モードの待機状態に移行する。続けて、使用者は、水道蛇口６７をひねって通水した。通水時であるので、逆止弁６５は、排出水路８２方向に水を流さない。待機状態から直ぐに通水されたので、排水状態を経ることなく、捨て水状態に移行する。ここで、先ほどの浄水の生成から、すなわち、止水から所定の時間が経過したので、制御回路部５０の制御により、電磁弁６３が開き、第１の通水量の捨て水がなされる。捨て水がなされる場合には、電磁弁６３が開くと共に、7セグメントLED９１が点滅する。捨て水が終了すると、制御回路５０の制御により、電磁弁６３を開いた状態を維持したまま、第１の電極板１１を陰極板、第２の電極板１２及び第３の電極板１３を陽極板となるように電極板１１、１２、１３に電源部６１からの供給を受け電圧を印加する。そうすると、電解槽１０で水の電解が生じ、マグネシウムイオン、ナトリウムイオン、カリウムイオン及びカルシウムイオン等は陰極板に引かれ、水酸イオン、硫酸イオン、硝酸イオン及び塩素イオン等は陽極板に引かれ、第１の電解室１５及び第４の電解室１８には酸性水が生成され、第２の電解室１６及び第３の電解室１７にはアルカリ水が生成される。そして、補助電解槽２０等を通って電解水吐水口６４から酸性水が吐水される。使用者は、吐水される酸性水を利用して洗顔等に使用しようと思い、使用者所望の量だけ酸性水を手に入れ、水道蛇口６７を閉めて通水を止めた。止水時であるので、逆止弁６５は、排出水路８２方向に水を流す。さらに、生成状態から排水状態に移行し、閉じていた電磁弁６３を開き、滞留水を排出口６２から排水する。排水状態に移行してから所定時間経過後、滞留水を全て排水した状態で待機状態に移行する。さらに、所定時間（例えば、１０分）操作パネル９０への操作、通水がなされない場合に消灯待機状態に移行し、操作パネル９０の表示のうち機能水の通水モードを示すボタンであって点灯しているボタンが消灯する。消灯待機状態に移行した後は、操作パネル９０への操作、又は通水がなされた場合に待機状態に復帰し、表示が点灯される。
【００４４】
次に、使用者は、衛生水を所定量得るべく、食塩添加筒４１に所定量に見合う食塩を入れる。そして、水路切替５２を切り替えて、流入口と食塩添加筒４１方向の流出口を流通可能状態とする。水路切替５２が行われると、強酸性検知スイッチ５３が制御回路５０に衛生水を供給すべく水路が切替られたことを出力し、制御回路５０が前記酸性水供給ボタン９０ｉの点灯から衛生水供給ランプ９０ｊの点灯となり、酸性水生成モードの待機状態から衛生水生成モードの待機状態に移行する。続けて、使用者は、水道蛇口６７をひねって通水した。通水時であるので、逆止弁６５は、排出水路８２方向に水を流さない。待機状態から直ぐに通水されたので、排水状態を経ることなく、捨て水状態に移行する。ここで、先ほどの酸性水の生成から、すなわち、止水から所定の時間が経過したことに関係なく、衛生水の生成であるので、制御回路部５０の制御により、電磁弁６３が開き、第７の通水量の捨て水がなされる。捨て水がなされる場合には、電磁弁６３が開くと共に、7セグメントLED９１が点滅する。捨て水が終了すると、制御回路５０の制御により、電磁弁６３を開いた状態を維持したまま、第１の電極板１１を陰極板、第２の電極板１２及び第３の電極板１３を陽極板となるように電極板１１、１２、１３に電源部６１からの供給を受け電圧を印加する。そうすると、電解槽１０で水の電解が生じ、マグネシウムイオン、ナトリウムイオン、カリウムイオン及びカルシウムイオン等は陰極板に引かれ、水酸イオン、硫酸イオン、硝酸イオン及び塩素イオン等は陽極板に引かれ、第１の電解室１５及び第４の電解室１８には衛生水が生成され、第２の電解室１６及び第３の電解室１７にはアルカリ水が生成される。そして、補助電解槽２０等を通って電解水吐水口６４から衛生水が吐水される。使用者は、吐水される衛生水を利用して洗顔等に使用しようと思い、使用者の所望の量だけ衛生水を手に入れ、止水することなくそのまま通水としていた。そうすると、食塩添加筒４１内の食塩の量が少なくなり、徐々に食塩の濃度が低くなってそれと共に電解槽１０内の電流値も低くなり、この電流値が所定値以下となれば制御回路５０が生成（食塩なし）状態に移行する。この生成（食塩なし）状態に移行して暫くすると、すすぎの状態に移行する。すすぎの状態により水の通り道が洗い流され、使用者が止水することで、逆止弁６５は排出水路８２方向に水を流し、排水状態に移行し、滞留水を排出口６２から排水する。排水状態に移行してから所定時間経過後、滞留水を全て排水した状態で待機状態に移行する。さらに、所定時間（例えば、１０分）操作パネル９０への操作、通水がなされない場合に消灯待機状態に移行し、操作パネル９０の表示のうち機能水の通水モードを示すボタンであって点灯しているボタンが消灯する。消灯待機状態に移行した後は、操作パネル９０への操作、又は通水がなされた場合に待機状態に復帰し、表示が点灯される。
【００４５】
以上の操作パネル９０の発光の通り、機能水の通水モードを示すボタンである前記強アルカリ水供給ボタン９０ｄ、第１レベルのアルカリ水供給ボタン９０ｅ、第２レベルのアルカリ水供給ボタン９０ｆ、第３レベルのアルカリ水供給ボタン９０ｇ、浄水供給ボタン９０ｈ、酸性水供給ボタン９０ｉ、衛生水供給ランプ９０ｊのうち、現在有効である点灯しているボタンが消灯待機状態に移行すると消灯する。この消灯待機状態で操作パネル９０上で点灯するものは、上浄水カートリッジ交換時期ランプ９０ｐ、下浄水カートリッジ交換時期ランプ９０ｑ、温度上昇ランプ９０ｒであり、浄水カートリッジの交換が必要であることを示し、電解槽内の温度が上昇していることを示し、機器の正常でない状態を使用者に伝える必要がある場合にだけ、消灯待機状態でも点灯し、その旨を明確に使用者に伝えることができる。すなわち、正常な状態にあって消灯待機状態である場合には全て消灯した状態となっているが、浄水カートリッジの交換が必要な場合には上浄水カートリッジ交換時期ランプ９０ｐ又は下浄水カートリッジ交換時期ランプ９０ｑのみが点灯しており、この際立った点灯により使用者が例えば深夜に操作パネル９０が点灯していることに気づけば正常な状態ではないという認識をすぐに持つことができる。よって、他のボタンが点灯する構成とした場合、新たなランプを設けた場合には、正常でない場合に点灯するか否かで切り分け、正常でない場合に点灯するものは消灯待機状態においても消灯せずに発光するようにし、その他のものは消灯待機状態においては消灯する構成にすることで同様な効果を得ることができる。
【００４６】
このように本実施形態に係るイオン水生成装置によれば、イオン水を生成して吐水し、この吐水が停止した後に、操作パネル９０の発光のうち少なくとも選択されている機能水の種類を示す発光を停止するので、使用者が使用しない期間では操作パネル９０が発光しておらず、特に、照明器具が使用されていない深夜には発光しておらず、無駄な発光をせず使用者の目障りとならない。また、止水後発光停止前までの所定期間内に逆電解を完了するので、使用者は操作パネル９０の発光が停止しているということは、逆電解も完了しており直ぐにでも使用が可能であることを認識することができる。
【００４７】
なお、本実施形態に係るイオン水生成装置においては、操作パネル９０の発光が停止と同時に逆電解を開始する構成にもでき、使用者は操作パネル９０の発光が停止した後は逆電解中であるかもしれず、迅速に機能水の提供を受けれないという認識を有することで、捨て水の誤飲を防止することができる。
【００４８】
また、本実施形態に係るイオン水生成装置においては、操作パネル９０の発光が停止後に逆電解を開始するので、使用者は操作パネル９０の発光が停止した後は逆電解中であるかもしれず、迅速に機能水の提供を受けれないという認識を有することで、捨て水の誤飲を防止することができる。
【００４９】
また、本実施形態に係るイオン水生成装置においては、強制的に消灯待機状態に移行させる消灯ボタンを備えることもでき、待機状態にある場合に消灯ボタンを押下することにより、迅速に消灯待機状態に移行することができ、使用者の意図を反映することができる。この場合において、洗浄状態、排水状態にある場合であっても、消灯ボタンを押下しておくことにより、待機状態に移行した直後に所定時間を経過することなく、消灯待機状態に移行させることもでき、消灯待機状態に移行することができる状態になった後すぐに移行することができ、使用者の再びの消灯ボタンの押下の手間を省くことができる。
【００５０】
また、本実施形態に係るイオン水生成装置においては、待機状態から消灯待機状態に移行するためのイベントである所定時間を使用者が調整可能にすることができ、使用者毎に調整することで最適な発光制御を実現することができる。使用者によっては、一端キッチンを出ると再びキッチンに入るのには相当の時間を要する人もいれば、絶えずキッチンを使用する使用者もおり、それぞれの環境に合わせてイオン水生成装置を設定することができる。
【００５１】
また、本実施形態に係るイオン水生成装置においては、一端消灯待機状態に移行した場合には、操作パネル９０への操作、又は通水がなされない限りは排水状態に移行しないために、少量の通水がなされている場合には、電解槽１０に雑菌が繁殖する恐れがあり、このため消灯待機状態に移行した後、所定量の通水を検出しなくなった場合に操作パネル９０の消灯状態を維持したまま排水を行う消灯排水状態を設けることもでき、消灯排水状態に移行した後、５分経過後に消灯待機状態に移行することで、消灯状態であっても適切に排水がなされ、消灯したままでの雑菌の繁殖を防止することができる。
【００５２】
また、本実施形態に係るイオン水生成装置においては、止水後所定期間経過後に操作パネル９０の発光を停止したが、操作パネル９０の発光を弱めることもでき、停止と同様に通常の発光と比べ無駄が少なくなり、また、使用者の目障りとならない。
【００５３】
（本発明の第２の実施形態）
本発明の第２の実施形態に係るイオン水生成装置について、図９ないし図１５に基づき説明する。図９は本実施形態に係るイオン水生成装置の設置状態の斜視図、図１０は本実施形態に係るイオン水生成装置の斜視図、図１１は本実施形態に係るイオン水生成装置の装置本体のブロック構成図、図１２は本実施形態に係るイオン水生成装置の制御回路のブロック構成図、図１３は本実施形態に係るイオン水生成装置の操作部及び本体操作部の正面図、図１４は本実施形態に係るイオン水生成装置のステートチャート図、図１５は本実施形態に係るイオン水生成装置の生成モードのステートチャート図である。
【００５４】
本実施形態に係るイオン水生成装置は、前記第１の実施形態に係るイオン水生成装置である据え置きタイプのイオン水生成装置ではなく、前記電解槽１２１がシンクより下に配設されるアンダーシンクタイプのイオン水生成装置である。
【００５５】
本実施形態に係るイオン水生成装置の具体的構成は、原水中の不純分を取り除く交換可能な浄水カートリッジ１１０と（装置本体内部に配設されている）、この浄水カートリッジ１１０から供給された浄水を電気分解する電解槽１２１を有してシンク下に配置された装置本体１２０と、この装置本体１２０からの浄水又はイオン水を吐水するシンク上に配置された吐水管１３１と、この吐水管１３１近傍のシンク上に配設された操作可能で設定状態を表示する操作部１４０とを備える構成である。また、前記浄水カートリッジ１１０に関する入力手段を有する本体操作部１５０を前記装置本体１２０に備える構成である。
【００５６】
詳細には、ハンドル１３３、操作部１４０、吐水管１３１及び排水管１３２を有する水栓本体１３０と、この水栓本体１３０と水栓本体−装置本体間ホース１６２を介して接続する装置本体１２０とを備え、この装置本体１２０にある２つの流出口の一方である吐水流出口１２２と吐水ホース１６４を介して前記水栓本体１３０の吐水管１３１と接続し、装置本体１２０にある他方の排水流出口１２３と排水ホース１６５を介して前記水栓本体１３０の排水管１３２と接続して流路を形成している。すなわち、水道管（図示しない）から流出した原水は原水−装置本体間ホース１６１を通って装置本体２０の浄水カートリッジ１１０に到達して浄水となって、図示しない装置内ホースを介して電解槽１２１に到達しこの電解槽１２１で電解されればイオン水となって、電解槽１２１で電解されなければ浄水のまま吐水流出口１２２から吐水ホース１６４を介して吐水管１３１からイオン水又は浄水が吐水される。そして、イオン水が吐水管１３１から吐水される場合には、排水流出口１２３から排水ホース１６５を介して排水管１３２から吐水されるイオン水と逆極性のイオン水が排水される。ここで、排水流出口１２３と電解槽１２１との間には電磁弁１２４が設けられ、電解槽１２１で電解をしない浄水モードの場合には電磁弁１２４が閉じられ、吐水管１３１のみから浄水が吐水される。これは、イオン水生成でない浄水の場合に排水管１３２から排水される水も浄水であって使用可能であって、排水する必要がないからである。
【００５７】
前記装置本体１２０は、浄水流入口１２５から直ぐに分岐部分１２６でアルカリ流路１２７と酸性流路１２８とに分岐する。酸性流路１２８は適量ずつ溶解可能なカルシウムが含有されているカルシウムケース１２９通って電解槽１２１に接続している。アルカリ流路１２７はそのまま電解槽１２１に接続している。電解槽１２１は隔壁１２１ｈにより第１の電解室１２１ａと第２の電解室１２１ｂに分かれ、隔壁１２１ｉにより第３の電解室１２１ｃと第４の電解室１２１ｄに分かれ、アルカリ流路１２７が第２の電解室１２１ｂ及び第３の電解室１２１ｃと接続し、酸性流路１２８が第１の電解室１２１ａ及び第４の電解室１２１ｄと接続する。第１の電解室１２１ａには第１の電極板１２１ｅが接続され、第２の電解室１２１ｂ及び第３の電解室１２１ｃには第２の電極板１２１ｆが接続され、第４の電解室１２１ｄには第３の電極板１２１ｇが接続される。電圧が印加されると、第１の電極板１２１ｅ及び第３の電極板１２１ｇと第２の電極板１２１ｆとがそれぞれ異なる陽極板又は陰極板として機能する。第１の電極板１２１ｅ及び第３の電極板１２１ｇが陽極板となり、第２の電極板１２１ｆが陰極板となる電解が正電解であり、マグネシウムイオン、ナトリウムイオン、カリウムイオン及びカルシウムイオン等は陰極板に引かれ、水酸イオン、硫酸イオン、硝酸イオン及び塩素イオン等は陽極板に引かれ、すなわち、第１の電解室１２１ａ及び第４の電解室１２１ｄには酸性水が生成され、第２の電解室１２１ｂ及び第３の電解室１２１ｃにはアルカリ水が生成される。逆に、第１の電極板１２１ｅ及び第３の電極板１２１ｇが陰極板となり、第２の電極板１２１ｆが陽極板となる電解が逆電解であり、第１の電解室１２１ａ及び第４の電解室１２１ｄにはアルカリ水が生成され、第２の電解室１２１ｂ及び第３の電解室１２１ｃには酸性水が生成される。
【００５８】
装置本体１２０内には、電解槽１２１、電磁弁１２４、アルカリ流路１２７、酸性流路１２８及びカルシウムケース１２９の他に、コンセントから電源ケーブルを介して供給される交流電流を変圧し分流して各構成要素に電流を供給する電源部１７２と、図１２に示すように、操作部１４０及び本体操作部１５０からの指示を受け、第１の電極板１２１ｅ、第２の電極板１２１ｆ、第３の電極板１２１ｇ及び電磁弁１２４に対する電源部１７２からの駆動電力の開閉を制御する制御部１７１と、情報を記録するための記録部１７４とを備える。図１２中、実線は信号レベルのバス、信号線であり、一点鎖線は制御用電源ライン、点線は駆動用電源ラインを示す。制御部１７１、記録部１７４及びバスは物理的には制御基板上のマイクロコンピュータ、ＥＥＰＲＯＭ及びバス等にて実装されている。
【００５９】
前記浄水カートリッジ１１０は、本体鉄さび等を除去する不織布と、イオン化した鉛を除去するセラミックの特殊フィルターと、吸着作用を利用してカルキ臭、カビ臭及びトリハロメタンを除去する活性炭と、粒子や雑菌・赤サビ等を除去するポリエチレン中空糸とからなる。これらの不織布、特殊フィルター、活性炭、ポリエチレン中空糸の集密度によって、可能通水量が異なり、本実施形態においては、１００００［ｌ］用浄水カートリッジ、８０００［ｌ］用浄水カートリッジ及び４０００［ｌ］用浄水カートリッジを使用する。
【００６０】
前記操作部１４０は、図１３（ａ）に示すように、強アルカリ水を生成する強アルカリボタン１４１、アルカリ水を生成するアルカリ３ボタン１４２ａ、アルカリ２ボタン１４２ｂ、アルカリ１ボタン１４２ｃ、浄水を生成する浄水ボタン１４２ｄ、酸性水を生成する酸性水ボタン１４３、浄水カートリッジの各種値をリセットするリセットボタン１４４からなる入力手段と、吐水量が適正であることを示す適正流量ランプ１４５、強アルカリ水が生成されていることを示す強アルカリランプ１４１ａ、アルカリ水が生成されていることを示すアルカリ３ランプ１４２ｅ、アルカリ２ランプ１４２ｆ、アルカリ１ランプ１４２ｇ、浄水が生成されていることを示す浄水ランプ１４２ｈ、酸性水が生成されていることを示す酸性水ランプ１４３ａ、浄水カートリッジの交換時期の目安を示すカートリッジ交換ランプ１４６及び電解槽が洗浄中であることを示す洗浄中ランプ１４７からなる表示手段とからなる。アルカリ３ランプ１４２ｅ、アルカリ２ランプ１４２ｆ及びアルカリ１ランプ１４２ｇの違いは、ＰＨの異なるアルカリ水を生成していることを示し、アルカリ３ランプ１４２ｅ、アルカリ２ランプ１４２ｆ及びアルカリ１ランプ１４２ｇの順でＰＨ値が低くなっていく。強アルカリボタン１４１、アルカリ３ボタン１４２ａ、アルカリ２ボタン１４２ｂ、アルカリ１ボタン１４２ｃ、浄水ボタン１４２ｄ及び酸性水ボタン１４３は、生成するイオン水のモードを変更するためモードボタンと呼ぶ。また、強アルカリランプ１４１ａ、アルカリ３ランプ１４２ｅ、アルカリ２ランプ１４２ｆ、アルカリ１ランプ１４２ｇ、浄水ランプ１４２ｈ及び酸性水ランプ１４３ａは、生成するイオン水のモードを示すモードランプと呼ぶ。制御部１７１は、これらのランプの点灯制御も行う。
【００６１】
強アルカリ水は、例えば、ペーハー（pH）が10.5であり、煮物、アク抜き、野菜ゆで等に使用することができる。第３レベルのアルカリ水（アルカリ３ランプ１４２ａ点灯時に生成されるイオン水）は、例えば、ペーハー（pH）が9.5であり、料理、お茶等に使用することができる。第２レベルのアルカリ水（アルカリ２ランプ１４２ｂ点灯時に生成されるイオン水）は、例えば、ペーハー（pH）が9.0であり、炊飯等に使用することができる。第１レベルのアルカリ水（アルカリ１ランプ１４２ｃ点灯時に生成されるイオン水）は、例えば、ペーハー（pH）が8.5であり、飲み始めの水等として使用することができる。酸性水は、例えば、ペーハー（pH）が5.5であり、洗顔、麺ゆで、茶渋とり等に使用することができる。
【００６２】
モードは、図１５に示すように、強アルカリモード、アルカリ３モード、アルカリ２モード、アルカリ１モード、浄水モード及び酸性水モードがある。強アルカリ水と酸性水は飲用水ではないので、強アルカリモード及び酸性水モードを除き、アルカリ３モード、アルカリ２モード、アルカリ１モード及び浄水モードを飲用モードと呼ぶ。電源投入時には、誤飲を防ぐため飲用モードからの開始となり、詳細には前回終了時の飲用モードからなり、例えば、前回終了時の飲用モードがアルカリ３モードであれば、アルカリ３モードが初期モードとなって、飲用ボタン１４２の押下の度毎に、浄水モード、アルカリ１モード、アルカリ２モードへと移行する。飲用モードにある場合に、強アルカリボタン１４１を押下すると強アルカリモードとなり、酸性水ボタン１４３を押下すると酸性水モードとなる。逆に、強アルカリモード、酸性水モードにあるときに、飲用ボタン１４２を押下することで、直近の飲用モードに移行する。
【００６３】
記録部１７４には現在モード、最終飲用モードのための領域が確保されている。この領域を制御部１７１が参照することで、現在のモードと直近の飲用モードを知ることができる。この他に記録部１７４には、現在の浄水カートリッジの種類、積算通水量、積算使用時間、直近のアルカリモード、逆電解実行基準量も記録される。直近のアルカリモードは逆電解時の電圧レベルで用いられ、逆電解実行基準量は逆電解が必要な所定量の吐水がなかれたか否かを判別する場合に用いられる。制御部１７１は、それぞれのモード毎に制御対象に対して制御を行い、強アルカリモード、アルカリ３モード、アルカリ２モード、アルカリ１モードのときには、第１の電極板１２１ｅ、第２の電極板１２１ｆ及び第３の電極板１２１ｇに対して正電解となるように電圧を印加する。強アルカリモード、アルカリ３モード、アルカリ２モード、アルカリ１モードのモードで異なるのは、印加する電圧レベルであり、電圧レベルが高い程高いＰＨ値のアルカリ水を生成することができる。逆に、制御部１７１は、酸性水モードのときには、第１の電極板１２１ｅ、第２の電極板１２１ｆ及び第３の電極板１２１ｇに対して逆電解となるように電圧を印加する。浄水モードのときには、第１の電極板１２１ｅ、第２の電極板１２１ｆ及び第３の電極板１２１ｇに対して電圧を印加しない。制御部１７１は、浄水モードのみ電磁弁１２４を駆動させ、酸性流路１２８を閉じた状態にする。
【００６４】
制御部１７１は、水が流れているか否かを検出するために、装置本体１２０内の流路内に配設された図示しない流量センサーからの検出信号を受けており、この流量センサーからの検出信号から流水量自体も検出することができる。流量センサーは、流水量を測定可能に構成され、例えば、流量センサー中央部にプロペラを設け、かかるプロペラの回転数により流水量を測定するものである。
【００６５】
前記本体操作部１５０は、図１３（ｂ）に示すように、寿命設定ボタン１５１からなる入力手段と、１００００ｌ寿命設定ランプ１５１ａ、８０００ｌ寿命設定ランプ１５１ｂ及び４０００ｌ寿命設定ランプ１５１ｃからなる表示手段とからなる。
【００６６】
前記入力手段の具体例としては、トグルスイッチ、スライドスイッチ、プッシュスイッチ（所謂押しボタン）、プルチェーンスイッチ、リミットスイッチ、レバースイッチ、ロッカースイッチ、ロータリースイッチ、キーボードスイッチ、キースイッチ等がある。
【００６７】
以上で説明した各モードとは別に図１４に示す状態があり、この図１４に基づき本実施形態に係るイオン水生成装置の動作について説明する。予め、イオン水生成装置は、図９に示すように、シンク下に配置し、装置本体１２０から延出する原水−装置本体間ホース１６１の一方のプラグを水道管に接続する。そうすることで、原水が装置本体１２０に供給されるようになる。次に、装置本体１２０で生成したイオン水が吐水菅１３１又は排水管１３２に流入できるように、水栓本体１３０から延出する吐水ホース１６４、排水ホース１６５をそれぞれ吐水流出口１２２、排水流出口１２３と接続する。ここでは、ホース止めで固定して接続する。次に、制御部１７１と操作部１４０とが通信可能なように、操作部１４０から延出した操作部コード１７３の先端を装置本体１２０の端子部に接続する。最後に、装置本体１２０の電源コートのプラグをコンセントに接続する。
【００６８】
電源が投入されると、記録部１７４から現在のモード、直近の飲用モード、浄水カートリッジの種類、積算通水量及び積算使用時間を読み出し、待機状態に移行する。待機状態となった後に、使用者がハンドル１３３を操作して、水道管からの原水を装置本体１２０に供給した場合には、流量検出センサーが流水量を検出し、制御部１７１に出力する。制御部１７１が流水量を検出した場合で捨て水が必要な場合には、捨て水を行う捨て水状態に移行し、捨て水後に吐水状態に移行する。制御部１７１が流水量を検出した場合で捨て水が必要でない場合には、捨て水は行わず、吐水状態に移行する。吐水状態中で、使用者がハンドル１３３を操作して流量検出センサーによる流水量が検出されなくなった場合、最大生成時間を経過した場合、機能水の吐水を停止する吐水停止状態（電解槽１２１を駆動させて生成する機能水の吐水はないが、浄水の吐水は継続される）に移行し、待機状態に移行する。また、吐水状態中で異常を検出した場合には、リトライ条件を満たす場合にはリトライを行う異常処理状態に移行し、リトライ条件を満たさない場合には吐水状態に移行するが、異常状態が継続している場合には再び異常処理状態に移行する。この異常処理状態時には、警告音が報知され、操作部４０の表示を点滅状態とし異常を使用者に知らせる。前記異常とは、過大電流、過小電流、内部温度上昇等がある。さらに、所定時間（例えば、１０分）操作部１４０への操作、通水がなされない場合に消灯待機状態に移行し、操作部１４０の表示全てが消灯する。待機状態から消灯待機状態に移行する前に、洗浄の有無を前記記録部７４上の逆電解実行基準量を読み出して所定量に達しているか否かを判別し、達している場合には消灯待機状態に移行する前に洗浄状態に移行する。達していない場合にはそのまま待機状態に移行する。消灯待機状態に移行した後は、操作部１４０への操作、又は通水がなされた場合に待機状態に復帰し、表示が点灯される。
【００６９】
また、待機状態の前記所定時間経過前は、捨て水が不要な連続モードが維持されている。すなわち、連続モードにおいては、使用者は捨て水がないため、ハンドル１３３を回して吐水される水は機能水であって、捨て水を待つことなく使い勝手がよい。ただし、この連続モードは、飲用モードのときは継続されるが、非飲用モードのときは解除される。これは非飲用モードの場合には装置内の強アルカリ水又は酸性水を捨て水として排水する必要があるからである。よって、連続モードの場合には、操作部１４０の表示の点灯が維持され消灯していない。したがって、使用者は操作部１４０の表示が消灯している場合には、連続モードではないということを認識することができる。また、操作部１４０の表示が点灯している場合であっても、必ずしも連続モードであるとは限らないが、頻繁に使用しない非飲用モードを使用した場合には、使用者は憶えており、少なくとも前記所定時間である１０分間程度は装置本体内に強アルカリ水、酸性水が残存し捨て水が必要であることを認識しており、実質的に操作部１４０の表示の点灯によって連続モードであることを認識することができる。
【００７０】
前記捨て水状態は、電源投入時、長時間の止水後、非飲用モード（強アルカリモード、酸性水）を使用した後、洗浄状態を行った後、再通水時の他モードに移行（アルカリ１モードからアルカリ３モードへの移行等）の場合に行われるものであり、適切な機能水を使用者に提供するために行われるものである。すなわち、電源投入時、長時間の止水後には、雑菌が装置内の電解槽内、流路内、ホース内で増殖し、衛生面でこのような水を提供することはできず、捨てる必要がある。また、非飲用モードを使用した後には、非飲用モードで生成した機能水が電解槽内、流路内、ホース内に残存しており、このような残存水を捨てる必要がある。この捨て水状態中は、前記モードランプが点滅する。捨て水状態における捨て水量は、それぞれの場合で異なり、止水後１０分未満で同一モードでない場合の再通水時で１００［ｃｃ］、止水前が強アルカリモード、酸性水モードである場合には、５００［ｃｃ］の捨て水を行う。止水後１０分以上３０分未満の時間後の通水時には、５００［ｃｃ］の捨て水を行う。洗浄状態を行った後には１５００［ｃｃ］の捨て水を行う。
【００７１】
前記吐水状態での、制御部１７１の制御は、前記強アルカリモード、アルカリ３モード、アルカリ２モード、アルカリ１モード、浄水モード、酸性水モードで記載した通りである。
【００７２】
前記吐水停止状態は、単純に吐水が停止した状態であるが、この状態に移行するためのイベントが、使用者がハンドル１３３を操作して流量検出センサーによる流水量が検出されなくなった場合、最大生成時間を経過した場合、特に、最大生成時間を経過した場合、吐水管１３１からは浄水が吐水された状態が維持される。最大生成時間は、第１の電極板１２１ｅ、第２の電極板１２１ｆ及び第３の電極板１２１ｇへの印加する電圧レベルの低いアルカリ３モード、アルカリ２モード、アルカリ１モードで３０［分］であり、印加する電圧レベルの高い強アルカリモード、酸性水モードで１０［分］であり、印加しない浄水モードの場合には無制限となる。この吐水停止状態には、吐水が継続してなされる場合もあるが、使用者が望む機能水が生成されていないため、モードランプを点滅させて報知する。
【００７３】
洗浄状態は、第１の電極板１２１ｅ、第２の電極板１２１ｆ及び第３の電極板１２１ｇへのスケールの付着を防止するために行われるものであり、アルカリ水の吐水量が所定量に到達すると、止水後に自動洗浄を行う。所定量とは、例えば、１０［ｌ］であり、止水前のモードが飲用モード、非飲用モードのどちらであっても行う。この洗浄状態の場合には、洗浄中ランプ１４７が点灯する。逆電解は、止水前の直近のアルカリモードの印加される電圧レベルで行われる。
【００７４】
いずれのモードにかかわらず、非飲用の水が吐水されている場合には、ブザー音で報知し、誤飲を防止する。
【００７５】
次に、浄水カートリッジの交換動作及びカートリッジ交換ランプの点灯動作について順に説明する。まず、装置本体１２０の電源コートのプラグをコンセントから外し、水道管の元栓を閉めた状態にした後に、装置本体１２０の外枠を外し浄水カートリッジ１１０を外す。新しい浄水カートリッジ１１０を装置本体１２０に嵌め、外枠を嵌める。装置本体１２０の電源コートのプラグをコンセントに接続し、蓋１５１を外し、本体操作部１５０の寿命設定ボタン１５１を押下し、新たに嵌めた浄水カートリッジ１１０の種類を示す１００００ｌ寿命設定ボタン１５１ａ、８０００ｌ寿命設定ボタン１５１ｂ、４０００ｌ寿命設定ボタン１５１ｃを押下し、決定ボタン１５２を押下して確定させる。
【００７６】
カートリッジ交換ランプ１４６の点灯動作は、制御部１７１が記録部１７４から浄水カートリッジの種類の別を読出し、この浄水カートリッジの種類の別により行う。カートリッジ交換ランプ１４６は、３つのランプからなり、左端のランプは緑に点灯し浄水カートリッジが新しいことを表示し、真ん中のランプは橙に点灯し浄水カートリッジが交換期間の半分を経たこと又は可能積算通水量の半分が通水されたことを表示し、右端のランプは赤に点滅点灯し浄水カートリッジが交換時期付近にあること又は可能積算通水量近くにあることを表示し、交換時期を経た後又は可能積算通水量を超えて通水されている場合は赤い右端のランプが点灯する。このように、交換時期又は可能積算通水量により、カートリッジ交換ランプ１４６の点灯色を変えているため、カートリッジ別の交換時期又は可能積算通水量を制御部１７１が知る必要があり、このため、１００００ｌ寿命設定ボタン１５１ａ、８０００ｌ寿命設定ボタン１５１ｂ、４０００ｌ寿命設定ボタン１５１ｃ、決定ボタン１５２による使用者の設定が必要となる。この設定を行った後に、リセットボタン１４４を押下することで、制御部１７１が記録部１７４の積算通水量及び積算使用時間をリセットする。
【００７７】
このように本実施形態に係るイオン水生成装置によれば、電解槽１２１がシンク下に配設される、所謂アンダーシンクタイプのイオン水生成装置において、電解槽１２１内の水を水の自重にて排水することができず、据え置きタイプのイオン水生成装置と比べて使用前には原則として雑菌が含まれた電解槽１２１内の水を排水する必要があり、使用者も使い始めの時点で操作部１４０が発光していない場合には、まだ準備ができておらず、飲用水が吐水されていないと認識し、使用者が誤飲することなく、円滑に捨て水を排水することができる。
【００７８】
なお、カートリッジ交換ランプ１４６の右端のランプが点灯している場合にだけ、消灯待機状態であっても消灯せずにカートリッジ交換ランプ１４６のみ点灯させることもでき、浄水カートリッジの交換がなされていないことを確実に使用者に伝えることができる。
【００７９】
（本発明の第３の実施形態）
本発明の第３の実施形態に係るイオン水生成装置について説明する。
本実施形態に係るイオン水生成装置は、前記第１の実施形態に係るイオン水生成装置と同様に構成され、新たに受光検出部を設け、受光検出部が光を検出できなくなった後所定期間後に、操作パネル９０の発光を停止することを異にする構成である。
【００８０】
前記受光検出部は、光電効果を用いた光センサーからなり所定量の受光量がある場合には、制御回路５０に対して検出信号を出力する。制御回路５０は、受光検出部からの検出信号が出力されている限りは操作パネル９０の発光を継続し、検出信号がなくなってから所定期間経過後に、操作パネル９０の発光を停止する。ここで、所定期間の経過を待ったのは受光がなくなって検出信号が出力されない場合にすぐに発光を停止すると、再び使用する可能性もあり、その制御が煩雑となってしまうからである。
【００８１】
この受光検出部の配設位置は、照明器具や外光を受光しやすい位置が好ましく、装置本体の上面や操作パネル９０であることが望ましい。装置本体の背面、側面は、装置の配設位置によっては、壁や他の機器と近接状態となって受光できない場合もあり、配設位置を限定してしまうか、本機能を使用できない事態となってしまうからである。
【００８２】
このように本実施形態に係るイオン水生成装置によれば、受光検出部を新たに設け、この受光検出部が光を検出できなくなった後に、表示部の発光を停止しているので、光が検出できない暗闇で使用者が使用することは原則としてなく、この時に表示部の発光を停止することで無駄な発光を止め、また、暗闇の中で際立って目立つ発光を停止することで使用者の目障りとならない。
【００８３】
なお、本実施形態に係るイオン水生成装置においては、前記受光検出部の受光レベルに応じて、制御回路５０が操作パネル９０の発光レベル調整することもでき、例えば、昼間は外光も取り込まれ受光レベルが高く発光レベルを高く維持しなければ使用者が判別し難く、逆に、夜間は外光が殆んどなく照明器具の発光となって受光レベルが低く発光レベルを通常レベルとし、さらに、夜間時で照明器具がない場合には受光レベルがほとんど皆無となって最低レベルの発光レベルとすることで、目障りでなく効率的な発光を行うことができる。
【００８４】
（本発明の第４の実施形態）
本発明の第４の実施形態に係るイオン水生成装置について説明する。
本実施形態に係るイオン水生成装置は、前記第１の実施形態に係るイオン水生成装置と同様に構成され、新たに人体検出部を設け、人体検出部が人を検出できなくなった後所定期間後に、操作パネル９０の発光を停止することを異にする構成である。
【００８５】
前記人体検出部は、例えば赤外線検出センサーからなり、人体が放射している赤外線を赤外線検出センサーが検出することで使用者の有無を判断することができ、人体がいる場合に制御回路５０に検出信号を出力し、人体がいない場合には検出信号を出力しない。この人体検出部は所定範囲のみでのみ使用者の有無を検出することができるのみで、使用者が前記所定範囲外に移動した場合に操作パネル９０の発光をすぐに停止する構成とした場合には、すぐに使用者が戻ってくることもあり制御が煩雑となって復帰処理に所定時間を要することから使用者の使い勝手も悪くなるため、所定期間を待って操作パネル９０の発光を停止することとした。
【００８６】
この人体検出部の配設位置は人体を検出することが必要となるため、使用者と正面と向き会って配設される可能性が高い操作パネル９０と同一面に配設されることが望ましい。
このように本実施形態に係るイオン水生成装置によれば、キッチンで作業をする場合には使用者は通常移動することが多く、その移動の度に人体検出部が人体を検出するために、使用者がいる間は操作パネル９０が発光した状態となって、使用者がいない間は操作パネル９０が発光しない状態となり、必要時に発光がなされ、無駄がなく、使用者の目障りとならない。
【００８７】
（本発明の第５の実施形態）
本発明の第５の実施形態に係るイオン水生成装置について説明する。
本実施形態に係るイオン水生成装置は、前記第１の実施形態に係るイオン水生成装置と同様に構成され、新たに時刻を検出する時計部を設け、各時間帯の使用者の使用頻度を計算し、使用頻度の少ない時間帯には表示部の発光を停止することを異にする構成である。
【００８８】
前記時計部は、時計からなり制御回路５０の要請に応じて時刻を検出する。制御回路５０が時刻を検出し、例えば、１時間毎に時間帯を分け、それぞれの時間帯毎の使用頻度を計算することで、具体的には２３時から５時までの各時間帯は使用頻度が平均０．１回で、６時台が平均１０．３回、７時台が平均８．１回、８時台が平均４．２回、９時台が平均３．１回、１０時台が２．１回、１１時台が８．２回といった具合に求まり、２３時から５時までは消灯待機状態に自動的に移行し、６時になると待機状態に自動的に移行することで、使用者の使用状態に合った発光制御を行うことができる。
【００８９】
このように本実施形態に係るイオン水生成装置によれば、新たに時計部を設け、使用者の使用頻度を時計部により時刻を検出しつつ各時間帯ごとに計算し、使用頻度の少ない時間帯には表示部の発光を停止するので、人間の生活パターンは通常一定パターンで推移し、しかもキッチンを主に利用する主婦などは特にその傾向が高く、その傾向を使用頻度という形で計算することで、無駄な発光を抑え、使用者の目障りとなる発光を極力防止することができる。
【００９０】
（本発明のその他の実施形態）
前記各実施形態においては、洗浄状態においてのみスケールの付着を防止する逆電解を行ったが、正電解を行っている期間に所定周期毎に逆電解を挿入することもでき、正電解によってアルカリ水を生成すると共にスケールの付着の防止を実現することもできる。
【図面の簡単な説明】
【００９１】
【図１】本発明の第１の実施形態に係るイオン水生成装置の全体構成ブロック図である。
【図２】本発明の第１の実施形態に係るイオン水生成装置の全体斜視図である。
【図３】本発明の第１の実施形態に係るイオン水生成装置を操作するための操作パネルの平面図である。
【図４】本発明の第１の実施形態に係るイオン水生成装置のアルカリ水生成モードにおける状態変移図である。
【図５】本発明の第１の実施形態に係るイオン水生成装置の浄水モードにおける状態変移図である。
【図６】本発明の第１の実施形態に係るイオン水生成装置の酸性水生成モードにおける状態変移図である。
【図７】本発明の第１の実施形態に係るイオン水生成装置の衛生水生成モードにおける状態変移図である。
【図８】本発明の第１の実施形態に係るイオン水生成装置の具体的構成の背面図の断面図及び背面方向からの上面断面図である。
【図９】本発明の第２の実施形態に係るイオン水生成装置の設置状態の斜視図である。
【図１０】本発明の第２の実施形態に係るイオン水生成装置の斜視図である。
【図１１】本発明の第２の実施形態に係るイオン水生成装置の装置本体のブロック構成図である。
【図１２】本発明の第２の実施形態に係るイオン水生成装置の制御回路のブロック構成図である。
【図１３】本発明の第２の実施形態に係るイオン水生成装置の操作部及び本体操作部の正面図である。
【図１４】本発明の第２の実施形態に係るイオン水生成装置のステートチャート図である。
【図１５】本発明の第２の実施形態に係るイオン水生成装置の生成モードのステートチャート図である。
【図１６】背景技術のイオン水生成装置の設置状態のブロック図及び操作部である。
【符号の説明】
【００９２】
１０  電解槽
１１  第１の電極板
１２  第２の電極板
１３  第３の電極板
１４  隔壁
１５  第１の電解室
１６  第２の電解室
１７  第３の電解室
１８  第４の電解室
２０  補助電解槽
２１  第１の補助電極板
２２  第２の補助電極板
２３  隔壁
２４  第１の補助電解室
２５  第２の補助電解室
３１  下浄水カートリッジ
３２  上浄水カートリッジ
４１  食塩添加筒
４２  カルシウム添加筒
５０  制御回路
５１  流量センサー
５２  水路切替
５３  強酸性検知スイッチ
６１  電源部
６２  排出口
６３  電磁弁
６４  電解水吐水口
６５  逆止弁
６６  水道管
６７  水道蛇口
６８  分岐栓
６９  給水ホース
７０  逆止弁
８１  補助電解槽水路
８２  排出水路
８３  電解槽水路
８４  上浄水カートリッジ水路
８５  流量センサー水路
８６  水路切替水路
８７  吐水水路
９０  操作パネル
９０ａ  電源ボタン
９０ｂ  ORP表示ボタン
９０ｃ  通水量表示ボタン
９０ｄ  強アルカリ水供給ボタン
９０ｅ  第１レベルのアルカリ水供給ボタン
９０ｆ  第２レベルのアルカリ水供給ボタン
９０ｇ  第３レベルのアルカリ水供給ボタン
９０ｈ  浄水供給ボタン
９０ｉ  酸性水供給ボタン
９０ｊ  衛生水供給ランプ
９０ｋ  寿命設定上ボタン
９０ｌ  寿命設定下ボタン
９０ｍ  リセットボタン
９０ｎ  洗浄中ランプ
９０ｏ  すすぎランプ
９０ｐ  上浄水カートリッジ交換時期ランプ
９０ｑ  下浄水カートリッジ交換時期ランプ
９０ｒ  温度上昇ランプ
９１  7セグメントLED
１１０  浄水カートリッジ
１２０  装置本体
１２１  電解槽
１２１ａ  第１の電解室
１２１ｂ  第２の電解室
１２１ｃ  第３の電解室
１２１ｄ  第４の電解室
１２１ｅ  第１の電極板
１２１ｆ  第２の電極板
１２１ｇ  第３の電極板
１２１ｈ  隔壁
１２１ｉ  隔壁
１２２  吐水流出口
１２３  排水流出口
１２４  電磁弁
１２６  分岐部分
１２７  アルカリ流路
１２８  酸性流路
１２９  カルシウムケース
１３０  水栓本体
１３１  吐水管
１３２  排水管
１３３  ハンドル
１４０  操作部
１４１  強アルカリボタン
１４２ａ  アルカリ３ボタン
１４２ｂ  アルカリ２ボタン
１４２ｃ  アルカリ１ボタン
１４２ｄ  浄水ボタン
１４３  酸性水ボタン
１４４  リセットボタン
１４５  適正流量ランプ
１４１ａ  強アルカリランプ
１４２ｅ  アルカリ３ランプ
１４２ｆ  アルカリ２ランプ
１４２ｇ  アルカリ１ランプ
１４２ｈ  浄水ランプ
１４３ａ  酸性水ランプ
１４６  カートリッジ交換ランプ
１４７  洗浄中ランプ
１５０  本体操作部
１５１ａ  １００００ｌ寿命設定ボタン
１５１ｂ  ８０００ｌ寿命設定ボタン
１５１ｃ  ４０００ｌ寿命設定ボタン
１５１ｄ  １００００ｌ寿命設定ランプ
１５１ｅ  ８０００ｌ寿命設定ランプ
１５１ｆ  ４０００ｌ寿命設定ランプ
１５１  蓋
１５２  決定ボタン
１６１  原水−装置本体間ホース
１６２  水栓本体−装置本体間ホース
１６４  吐水ホース
１６５  排水ホース
１７１  制御部
１７２  電源部
１７３  操作部コード
１７４  記録部
２０１  本体ケース
２０２  電解槽
２０２ａ、１０２ｂ  室
２０３  配管
２０６  定流量弁
２０７  給水用電磁弁
２０８  浄水カートリッジ
２０９  流量センサー
２１０  分岐管
２１１  カルシュウム添加筒
２１２  酸性用電磁弁
２１３  トランス
２１７  操作パネル
２２６  酸性イオン水出口
２２８  アルカリイオン水出口
２５０  発光表示部
【図１】
2006187713.tif 000003
【図２】
2006187713.tif 000004
【図３】
2006187713.tif 000005
【図４】
2006187713.tif 000006
【図５】
2006187713.tif 000007
【図６】
2006187713.tif 000008
【図７】
2006187713.tif 000009
【図９】
2006187713.tif 000010
【図１０】
2006187713.tif 000011
【図１１】
2006187713.tif 000012
【図１２】
2006187713.tif 000013
【図１３】
2006187713.tif 000014
【図１４】
2006187713.tif 000015
【図１５】
2006187713.tif 000016
【図１６】
2006187713.tif 000017
【図８】
2006187713.tif 000018
【手続補正書】
【提出日】平成17年1月7日(2005.1.7)
【手続補正１】
【補正対象書類名】図面
【補正対象項目名】図７
【補正方法】変更
【補正の内容】
【図７】
2006187713.tif 000019
【手続補正２】
【補正対象書類名】図面
【補正対象項目名】図１４
【補正方法】変更
【補正の内容】
【図１４】
2006187713.tif 000020